(57)【特許請求の範囲】
【請求項１】
番組を記録媒体上に記録すると共に、前記記録媒体上に記録中の前記番組の記録済部分を再生する番組記録再生装置であり、
現在時刻を取得する現在時刻取得手段と、
前記記録媒体における前記番組の再生時刻を取得する再生時刻取得手段と、
前記番組が再生されている画面上に、現在時刻より過去および未来の両方の時刻を目盛とした時刻表示を含むバーを表示し、前記バー上における前記現在時刻に対応する位置に録画位置マークを表示すると共に、前記再生時刻に対応する位置に再生位置マークを表示するオンスクリーン情報付加手段と、
を有することを特徴とする番組記録再生装置。
【請求項２】
さらに、前記記録媒体における前記番組の記録期間を取得する記録期間取得手段を有し、
前記オンスクリーン情報付加手段は、さらに、前記番組の記録期間を前記バーの色を反転表示して示すことを特徴とする請求項１記載の番組記録再生装置。
【発明の詳細な説明】
【０００１】
【発明の属する技術分野】
本発明は、受信した番組をハードディスク等の記録媒体に記録し、これを再生する番組記録再生装置に関する。
【０００２】
【従来の技術】
ハードディスクを記録媒体として、番組信号の記録及び再生を行う装置が知られている。このような装置は、ＰＶＲ（Personal Video Recorder）と呼ばれ、番組信号の記録と再生とを同時に実行できる（実際は、記録動作と再生動作と素早く切り替えて時分割で処理している）。
【０００３】
従って、このＰＶＲを使用した場合、ある番組を録画しながら、ハードディスク上の他の番組を再生する同時記録再生を行ったり、また、ある番組を録画しながら、その記録中の番組の先頭部分あるいは記録済みの所望の部分から再生をするタイムシフト再生を行うこともできる。また、タイムシフト再生に類似する機能として、キャッシュ再生がある。
【０００４】
このキャッシュ再生では、ハードディスクがキャッシュディスクとして使用され、放送中の番組は、常にこのハードディスクに所定時間分録画される。そして、少し前のシーンからもう一度再生を行いたいという場合に、キャッシュとして蓄えられている所定時間の範囲内においてさかのぼり、好みのシーンから再生が行われる。
【０００５】
【発明が解決しようとする課題】
ところが、以上の如く、タイムシフト再生やキャッシュ再生を行った場合、画面上に表示されている画像が、放送中の番組のシーンであるのか、それともハードディスクから再生されている番組のシーンであるのかがわかりにくく、使用者に混乱をもたらす可能性があった。
【０００６】
特に、画面の左上部等に時刻をスーパーインポーズして放送している番組をタイムシフト再生あるいはキャッシュ再生させた場合には、混乱が生じやすく、使用者は、画面上にスーパーインポーズで表示されている時刻を現在時刻と錯覚することが多かった。
【０００７】
本発明に係る番組信号再生装置は、以上の如く問題を解決するために、放送中の番組と再生中の番組との違いを画面上でわかりやすく表示させること目的とし、更には、再生中の番組における再生位置をわかりやすく表示させることを目的とする。
【０００８】
【課題を解決するための手段】
以上の課題を解決するために、本発明に係る番組記録再生装置は、番組を記録媒体上に記録すると共に、前記記録媒体上に記録中の前記番組の記録済部分を再生する番組記録再生装置であり、現在時刻を取得する現在時刻取得手段と、前記記録媒体における前記番組の再生時刻を取得する再生時刻取得手段と、前記番組が再生されている画面上に、現在時刻より過去および未来の両方の時刻を目盛とした時刻表示を含むバーを表示し、前記バー上における前記現在時刻に対応する位置に録画位置マークを表示すると共に、前記再生時刻に対応する位置に再生位置マークを表示するオンスクリーン情報付加手段と、を有することを特徴とするものである。
【０００９】
また、本発明に係る番組記録再生装置は、さらに、前記記録媒体における前記番組の記録期間を取得する記録期間取得手段を有し、前記オンスクリーン情報付加手段は、さらに、前記番組の記録期間を前記バーの色を反転表示して示すことを特徴とするものである。
【００１０】
【発明の実施の形態】
図１は、本発明の実施例に係る番組信号記録再生装置の構成を説明するための図であり、同図において、１は記録する番組信号が映像信号及び音声信号の形態で入来し、この番組信号にＭＰＥＧ（Moving Picture Experts Group）方式等の圧縮処理を施して出力する記録信号処理部、２は記録信号処理部１の出力する圧縮された番組信号に後述する付加情報を付したうえで、これを図示しないバッファに格納し、所定のタイミングで出力する記録コントローラ、３は記録コントローラ２から出力された番組信号を記録媒体での記録に適した信号形態に変換して出力したり、記録媒体から再生された番組信号を元の信号形態に変換して出力するメディアマネージャである。
【００１１】
また、４はハードディスクあるいは半導体メモリ等により構成され、メディアマネージャ３からの番組信号の記録再生が行われる記録媒体、５はメディアマネージャ３からの番組信号を図示しないバッファに格納し、所定のタイミングでこれを出力し、更に番組信号に付加されている付加情報を抽出する再生コントローラ、６は再生コントローラ５からの番組信号にＭＰＥＧ方式等の伸長処理を施し、番組信号を映像信号及び音声信号の形態で出力すると共に、この映像信号の同期信号を出力する再生信号処理部である。
【００１２】
また、７は再生信号処理部６の出力する番組信号に適宜オンスクリーン情報を付加して出力するＯＳＤ（On Screen Display）処理部、８は再生信号処理部６の出力する同期信号が入力され、この同期信号のタイミングに基づきＯＳＤ処理部７を制御する表示コントローラである。
【００１３】
また、９は記録コントローラ２、メディアマネージャ３、再生コントローラ５及び表示コントローラ８の動作を制御すると共に、適宜必要な情報のやりとりを行うシステムコントローラ、１０は日付情報及び現在時刻情報をシステムコントローラ９に供給するシステム時計、１１は番組予約情報が蓄積され、必要に応じてシステムコントローラ９との間で情報のやりとりを行う記録予約マネージャ、１２は使用者の指示をシステムコントローラ９に伝えるキー入力部である。なお、キー入力部１２としては、記録再生装置の本体に設けられるボタンや、装置の外部に設けられるリモコン送信機、あるいはＩＥＥＥ１３９４等のインターフェイスで接続される外部機器等が考えられる。
【００１４】
以下、本発明に係る番組信号記録再生装置の動作を説明する。
まず、番組信号を記録媒体４で記録する際の動作について説明すると、入来する番組信号は、記録信号処理部１においてＭＰＥＧ方式の番組信号に変換され、記録コントローラ２に出力される。
【００１５】
一方、システムコントローラ９には、システム時計１０から日付情報及び時刻の経過に合わせた現在時刻情報が供給されており、システムコントローラ９は、これらの情報を記録コントローラ２に出力する。そして、記録コントローラ２は、記録信号処理部１から出力された番組信号に、システムコントローラ９からの日付情報及び現在時刻情報と内部で生成したフレーム情報とを付加情報として付加し、この付加情報が付加された番組信号が、順次その内部バッファに蓄積される。
【００１６】
その後、システムコントローラ９の制御の基に、この内部バッファから番組信号が読み出され、メディアマネージャ３において記録媒体４での記録に適した信号形態に変換される。なお、ここで、記録媒体４としてハードディスクを用いているものとすると、メディアマネージャ３が番組信号をハードディスクでの記録に適したファイル形式のデータへと変換し、このデータが記録媒体４（ハードディスク）上に記録される。
【００１７】
その際、記録媒体４上には、番組信号のみならず、記録コントローラ２で付加した付加情報も記録され、更に、記録媒体４上には、この番組信号の記録アドレスと記録した付加情報とを関連付ける番組関連情報が記録される。
【００１８】
一方、記録媒体４上に記録される番組信号を再生する際は、システムコントローラ９がメディアマネージャ３を制御することにより、記録媒体４から番組関連情報が読み出され、この番組関連情報に基づき、記録媒体４の所定のアドレスから番組信号の読出しが開始される。
【００１９】
そして、読み出された番組信号は、メディアマネージャ３を介して元の信号形態に変換され、再生コントローラ５に出力される。再生コントローラ５では、その内部のバッファに番組信号が一旦格納された上で、読み出され、その後、番組信号に付加されている付加情報が抽出される。
【００２０】
ここで、再生コントローラ５は、番組信号を再生信号処理部６に出力する一方、抽出した付加情報をシステムコントローラ９に出力し、再生信号処理部６は、圧縮されている番組信号にＭＰＥＧ方式の伸長処理を施して得た番組信号をＯＳＤ処理部７に出力すると共に、同期信号を表示コントローラ８に出力する。
【００２１】
そして、システムコントローラ９は、再生コントローラ５からの付加情報を表示コントローラ８に出力し、表示コントローラ８は、再生信号処理部６からの同期信号とシステムコントローラ９からの付加情報に基づき、図２に示す如くオンスクリーン表示が行われるようＯＳＤ処理部７を制御する。
【００２２】
図２は、このように通常再生を行う際に画面上に表示されるオンスクリーン情報を示す図であり、番組全体の時間が（イ）で示す如くバー表示され、このバー上の再生経過時間に対応する位置に再生位置マーク（ロ）が表示される。また、画面左上部には、（ハ）に示す如く番組の先頭からの再生経過時間が数値で表示され、画面右上部には、（ニ）に示す如く番組を記録した日付が表示される。そして、以上のようなオンスクリーン情報が付加された番組信号がＯＳＤ処理部７から出力される。
【００２３】
次に、記録媒体４をキャッシュとして使用するキャッシュＯＮ状態での動作について説明する。キャッシュＯＮ状態とするには、まず、使用者がキャッシュ保持時間をキー入力部１２を介して設定する。つまり、記録媒体４上にどれだけの時間分の番組信号を保持し続けるかを設定する。なお、このようにキャッシュＯＮ状態とする毎に、使用者がキャッシュ保持時間を設定するのではなく、予め定められた時間分だけ番組信号を保持し続けるようにしても良いことは言うまでもない。
【００２４】
そして、キャッシュＯＮ状態となると、記録信号処理部１、記録コントローラ２、メディアマネージャ３が前述記録動作と同様に機能し、記録媒体４上には、番組信号に加え、付加情報が記録される。ここで、システムコントローラ９は、メディアマネージャ３を通じて、記録媒体４上にキャッシュされている番組信号の時間を監視し続け、設定されるキャッシュ保持時間分だけ常に最新の番組信号を保持し続ける。従って、このキャッシュ保持時間を経過した番組信号は、記録媒体４から自動的に削除されていく。
【００２５】
そして、システムコントローラ９は、システム時計１０からの現在時刻情報と記録媒体４上にキャッシュされている番組信号の時間情報とを表示コントローラ８に出力し、表示コントローラ８では図３に示す如くオンスクリーン表示が行われるよう表示コントローラ８がＯＳＤ処理部７を制御する。なお、図１に示す構成の場合、記録信号処理部１で圧縮処理された番組信号が記録媒体４で記録されると共に、再生信号処理部６で伸長処理されるが、キャッシュＯＮ状態では、圧縮伸長処理を行っていない番組信号をＯＳＤ処理部７に供給しても良いことは言うまでもない。
【００２６】
図３は、キャッシュＯＮ状態で画面上に表示されるオンスクリーン情報を示す図であり、時刻を目盛としたバーが（ホ）で示す如く表示され、このバー上の現在時刻に対応する位置に録画位置マーク（へ）が表示される。また、記録媒体４上にキャッシュが存在する番組信号の期間は、（ト）で示す如くバーの色が反転表示され、何時以降の番組信号が記録媒体４上にキャッシュされているかを確認することがでる。また、バー上の録画位置マーク（ヘ）とは別に、画面右上部には、（チ）で示す如く現在時刻が表示される。
【００２７】
そして、このキャッシュＯＮ状態において、使用者がキー入力部１２を介して、番組再生をさかのぼるよう、巻戻しの指示を行うとキャッシュ再生状態へと移行する。このキャッシュ再生状態では、記録コントローラ２から出力される付加情報が付された番組信号がメディアマネージャ３を介して記録媒体４に記録されると共に、キャッシュされている番組信号が記録媒体４からメディアマネージャ３を介して再生コントローラ５に出力される。
【００２８】
その際、メディアマネージャ３は、記録コントローラ２からの番組信号を記録媒体４に記録する動作と、記録媒体４から再生される番組信号を再生コントローラ５に出力する動作とを高速で切り替えて時分割処理することになる。従って、システムコントローラ９は、この番組信号の記録のタイミングで記録コントローラ２内のバッファから番組信号の読出しが行われるよう記録コントローラ２及びメディアマネージャ３を制御し、記録を行っていないタイミングで番組信号の再生が行われ、これが再生コントローラ５内のバッファに書き込まれるようメディアマネージャ３及び再生コントローラ５を制御する。
【００２９】
そして、再生コントローラ５は、再生された番組信号から付加情報を抽出し、この付加情報をシステムコントローラ９に出力する。そして、システムコントローラ９は、再生コントローラ５からの付加情報と、システム時計１０からの現在時刻情報とを表示コントローラ８に出力し、表示コントローラ８では図４に示す如くオンスクリーン表示が行われるよう表示コントローラ８がＯＳＤ処理部７を制御する。
【００３０】
図４は、キャッシュ再生状態で画面上に表示されるオンスクリーン情報を示す図であり、時刻を目盛としたバーが（ホ）で示す如く表示され、このバー上の現在時刻に対応する位置に録画位置マーク（へ）が表示される。また、記録媒体４上から再生を行っている番組信号の記録時の時刻に対応する位置に再生位置マーク（ロ）が表示され、記録媒体４上にキャッシュが存在する番組信号の期間は、（ト）で示す如くバーの色が反転表示される。また、バー上の再生位置マーク（ロ）とは別に、画面左上部には、（リ）で示す如く再生を行っている番組信号の記録時の時刻が表示され、画面右上部には、（チ）で示す如く現在時刻が表示される。
【００３１】
キャッシュ再生状態においては、キー入力部１２を介して早送り又は巻戻しの指示を行うことにより、（ロ）で示される番組信号の現在の再生箇所よりも時間的に先のシーンや、後のシーンを簡単に呼び出すことができる。図５はキャッシュ早送り再生状態で画面上に表示されるオンスクリーン情報を示す図であり、図４で示す再生位置マーク（ロ）に代わり早送り位置マーク（ヌ）がバー上に表示される。一方、キャッシュ巻戻し再生状態においては、この早送り位置マーク（ヌ）と左右対象のマークである巻戻し位置マークが使用される。
【００３２】
そして、図５で示すキャッシュ早送り再生状態を継続すると、早送り位置マーク（ヌ）が記録位置マーク（ヘ）に近づいていくが、記録媒体４からの番組信号の再生箇所が放送中の番組信号の箇所まで追いついた時点で、画面表示は、図３で示したキャッシュＯＮ時の画面表示へと切り替えられる。
【００３３】
なお、以上のキャッシュ再生、キャッシュ早送り再生、キャッシュ巻戻し再生は、（ト）で示すバーの色が反転表示されている期間のみで行うことができ、これ以外の期間に対しては、これらの再生が行えないことは言うまでもない。
【００３４】
以上のようにキャッシュＯＮ状態では、図３の如くバー上に録画位置マーク（ヘ）のみが表示される一方、キャッシュ再生状態では、図４の如くバー上に録画位置マーク（ヘ）と再生位置マーク（ロ）とが表示されるため、過去に録画した番組を再生するキャッシュ再生状態において、画面上に表示されている画像を放送中の番組のシーンと錯覚するトラブルを防止できる。
【００３５】
また、キャッシュ再生時においては、図４に示す如く、再生している番組信号の記録時の時刻が画面上で確認できるため、再生している番組のシーンが何時に放送されたものであるのか確認できる。また、スポーツ情報の放送時刻やお天気情報の放送時刻が決まっているニュース番組等をキャッシュしている場合などは、逆に、画面上に表示される記録時の時刻を基に所望のシーンを探し出すことも可能となる。また、キャッシュが存在する期間は、バーが反転表示されているため、何時以降の番組がキャッシュから再生可能であるのかを一目で確認できる。
【００３６】
次に、番組を記録媒体４に記録すると共に、記録媒体４に記録されているこの番組の所望の箇所から再生を行うタイムシフト再生の動作について説明する。なお、このタイムシフト再生は、先に説明したキャッシュ動作とは異なり、記録をしている番組が記録媒体４上から自動的に削除されることはない。
【００３７】
記録信号処理部１にて圧縮処理した番組信号を記録媒体４で記録している状態において、使用者が番組先頭から再生の指示を行うと、その時点でタイムシフト再生が開始される。そして、メディアマネージャ３は、先に説明したキャッシュ再生時と同様に、記録コントローラ２からの番組信号を記録媒体４に記録する動作と、記録媒体４から再生される番組信号を再生コントローラに出力する動作とを高速で切り替えて時分割処理することになる。
【００３８】
図６は、タイムシフト再生状態で画面上に表示されるオンスクリーン情報を示す図であり、図４で示したキャッシュ再生時に使用される時刻を目盛としたバー（ホ）、再生位置マーク（ロ）、録画位置マーク（ヘ）、再生を行っている番組信号の記録時の時刻（リ）、現在時刻（チ）の情報は、タイムシフト再生時であっても同様に表示される。また、番組信号が記録されている期間を示す表示（ト）は、タイムシフト再生時でも同様に表示されるが、キャッシュ再生時のように所定時間分番組信号を保持するという設定がないため、録画の進行に伴いこの表示が長くなる点のみ異なる。
【００３９】
また、以上のように番組先頭から再生を開始しなくても、番組信号の記録中に巻戻しの指示を行うことで番組途中からタイムシフト再生を開始させることもできる。そして、巻戻し指示を行った場合には、先に説明した巻戻し位置マークが再生位置マーク（ロ）に代わり表示され、早送り指示を行った場合には、先に説明した早送り位置マークが再生位置マーク（ロ）に代わり表示される。
【００４０】
なお、以上の説明では、入来する番組信号を記録信号処理部１で圧縮処理して記録コントローラ２に出力した例を示したが、例えば、ＭＰＥＧ方式で圧縮された番組信号が送信され、これを受信して記録する場合には、記録信号処理部１を介さずに、受信した番組信号を直接記録コントローラ２に供給すれば良いことは言うまでもない。
【００４１】
そして、ＭＰＥＧ方式で圧縮された番組信号上に、この番組信号放送時の時刻情報が既に重畳されている場合には、記録コントローラ２は、重畳されている時刻情報を番組信号と共に出力するため、システム時計１０が出力した現在時刻情報をこの番組信号に付加する必要はない。そして、番組信号と共に記録される時刻情報は、番組信号と共に再生され、再生コントローラ５は、この番組信号が再生された際に番組放送時の時刻情報を抽出することになる。
【００４２】
また、以上の説明では、キャッシュ再生状態であっても、タイムシフト再生状態であっても、番組信号が記録されている期間を示す表示（ト）は同一であったが、例えば、キャッシュ再生状態ではこの表示を青色にして、タイムシフト再生状態ではこの表示を赤色にすることにより、キャッシュ再生状態とタイムシフト再生状態とを画面上で識別することが可能となる。
【００４３】
また、バー表示（ホ）については、少なくとも時刻表示を含む時間識別画像であれば他の形態でも構わないため、例えば、目盛を取り除いて時刻のみを並べて表示させても構わない。しかし、目盛を付加することにより時刻の識別が容易となるため目盛を付加するのが望ましい。
【００４４】
また、この時刻表示を含む時間識別画像は、バー形状でなく、円形状としても構わないことは言うまでもない。また、この時間識別画像上に再生位置マーク（ロ）及び録画位置マーク（へ）を表示しなくても、時間識別画像の時刻表示に対応する位置であれる限り、時間識別画像とは異なる位置であっても良い。
【００４５】
【発明の効果】
本発明によれば、オンスクリーン情報付加手段が時刻を目盛として第１の識別マークと第２の識別マークとを表示するため、画面上に表示されている画像を放送中の番組のシーンであると錯覚するトラブルを防止することができるばかりでなく、再生している番組のシーンが何時に記録または放送されたものであるか確認できるという効果を奏する。また、これらの画面表示に基づき所望のシーンを簡単に探し出すことが可能となる。
【図面の簡単な説明】
【図１】本発明に係る番組信号記録再生装置の構成を説明するための図である。
【図２】通常再生時の画面表示を示す図である。
【図３】キャッシュＯＮ時の画面表示を示す図である。
【図４】キャッシュ再生時の画面表示を示す図である。
【図５】キャッシュ早送り再生時の画面表示を示す図である。
【図６】タイムシフト再生時の画面表示を示す図である。
【符号の説明】
１…記録信号処理部
２…記録コントローラ
３…メディアマネージャ
４…記録媒体
５…再生コントローラ
６…再生信号処理部
７…ＯＳＤ処理部
８…表示コントローラ
９…システムコントローラ
１０…システム時計
１１…記録予約マネージャ
１２…キー入力部
【図１】
0003838012.tif 000002
【図２】
0003838012.tif 000003
【図３】
0003838012.tif 000004
【図４】
0003838012.tif 000005
【図５】
0003838012.tif 000006
【図６】
0003838012.tif 000007